(57)【要約】【課題】１つの信号系統に不具合が発生した場合であっても、リレーを制御することができる分電盤を提供すること。【解決手段】実施形態に係る分電盤１００は、回路６０に電力を供給する遠隔操作可能なリレー１２５と、通信部１３５−１と、通信部１３５−２と、リレー制御部１３１とを具備する。通信部１３５−１は、リレー１２５を制御する第１の制御信号を外部装置から受信するとともに、自装置の内部情報を外部装置に送信する。通信部１３５−２は、リレー１２５を制御する第２の制御信号を外部装置から受信する。リレー制御部１３１は、通信部１３５−１が第１の制御信号を受信した場合には第１の制御信号を用いてリレーを制御し、通信部１３５−２が第２の制御信号を受信した場合には第２の制御信号を用いてリレーを制御する。【選択図】図３
2018055850.tif 000002
【特許請求の範囲】
【請求項１】
回路に電力を供給する遠隔操作可能なリレーと；
前記リレーを制御する第１の制御信号を外部装置から受信するとともに、自装置の内部情報を前記外部装置に送信する第１の通信部と；
前記リレーを制御する第２の制御信号を前記外部装置から受信する第２の通信部と；
前記第１の通信部が前記第１の制御信号を受信した場合には前記第１の制御信号を用いて前記リレーを制御し、前記第２の通信部が前記第２の制御信号を受信した場合には前記第２の制御信号を用いて前記リレーを制御するリレー制御部と；
を具備することを特徴とする分電盤。
【請求項２】
前記回路に関する回路情報を表示し、前記回路の電力供給を前記リレーによって制御する操作を受け付ける盤操作部と；
前記リレーを制御する第３の制御信号を前記盤操作部から受信する第３の通信部と；
をさらに具備し、
前記リレー制御部は、
前記第３の通信部が前記第３の制御信号を受信した場合には前記第３の制御信号を用いて前記リレーを制御する
ことを特徴とする請求項１に記載の分電盤。
【請求項３】
前記リレー制御部は、
前記第１〜第３の制御信号の何れか１つがオン信号であれば、前記リレーをオンに制御する
ことを特徴とする請求項２に記載の分電盤。
【請求項４】
前記盤操作部は、前記回路情報を取得し、
前記内部情報は、前記回路情報であり、
前記第３の通信部は、
前記回路情報を受信し、
前記第１の通信部は、
前記回路情報を前記外部装置に送信する
ことを特徴とする請求項２または３に記載の分電盤。
【請求項５】
前記第１の通信部は、
イーサネット（登録商標）を用いた通信を行ない、
前記第２の通信部は、
ＤＭＸを用いた通信を行なう
ことを特徴とする請求項１から４のいずれか１つに記載の分電盤。
【発明の詳細な説明】
【技術分野】
【０００１】
本発明の実施形態は、分電盤に関する。
【背景技術】
【０００２】
従来、スタジオや舞台等は、複数の照明機器により照明演出がなされており、各照明機器側に設定される制御アドレスを用いて、操作卓が各照明機器を遠隔制御する照明制御システムが導入されている。
【０００３】
このような照明制御システムでは、分電盤が、照明機器が接続される回路に対して供給する電力を制御する。このとき、分電盤は、操作卓からのＤＭＸ信号に基づいて、回路に電力を供給するリレーを制御する。しかしながら、ＤＭＸ信号系統に不具合が発生すると、分電盤は、リレーを制御できなくなる。
【先行技術文献】
【特許文献】
【０００４】
【特許文献１】特開２００７−６６５８５号公報
【発明の概要】
【発明が解決しようとする課題】
【０００５】
本発明が解決しようとする課題は、１つの信号系統に不具合が発生した場合であっても、リレーを制御することができる分電盤を提供することである。
【課題を解決するための手段】
【０００６】
実施形態に係る分電盤は、回路に電力を供給する遠隔操作可能なリレーと、第１の通信部と、第２の通信部と、リレー制御部とを具備する。第１の通信部は、リレーを制御する第１の制御信号を外部装置から受信するとともに、自装置の内部情報を外部装置に送信する。第２の通信部は、リレーを制御する第２の制御信号を外部装置から受信する。リレー制御部は、第１の通信部が第１の制御信号を受信した場合には第１の制御信号を用いてリレーを制御し、第２の通信部が第２の制御信号を受信した場合には第２の制御信号を用いてリレーを制御する。
【図面の簡単な説明】
【０００７】
【図１】図１は、実施形態に係る照明制御システムの構成の一例を示すブロック図である。
【図２】図２は、実施形態に係る分電盤と、操作卓との間の接続構成の一例を示す図である。
【図３】図３は、実施形態に係る分電盤の機能構成の一例を示すブロック図である。
【図４】図４は、実施形態に係る分電盤の外観を説明するための説明図である。
【図５】図５は、実施形態に係る分電盤における制御処理の一例を示すフローチャートである。
【図６】図６は、実施形態に係る分電盤の表示画面の第１例を示す図である。
【図７】図７は、実施形態に係る分電盤の表示画面の第２例を示す図である。
【図８】図８は、実施形態に係る分電盤の表示画面の第３例を示す図である。
【図９】図９は、実施形態に係る分電盤の表示画面の第４例を示す図である。
【図１０】図１０は、実施形態に係る分電盤の表示画面の第５例を示す図である。
【発明を実施するための形態】
【０００８】
以下で説明する実施形態に係る分電盤１００は、回路６０に電力を供給する遠隔操作可能なリレー１２５と、通信部１３５−１と、通信部１３５−２と、リレー制御部１３１とを具備する。通信部１３５−１は、リレー１２５を制御する第１の制御信号を外部装置（操作卓５０に相当）から受信するとともに、自装置である分電盤１００の内部情報を外部装置に送信する。通信部１３５−２は、リレー１２５を制御する第２の制御信号を外部装置から受信する。リレー制御部１３１は、通信部１３５−１が第１の制御信号を受信した場合には第１の制御信号を用いてリレーを制御し、通信部１３５−２が第２の制御信号を受信した場合には第２の制御信号を用いてリレーを制御する。
【０００９】
また、以下で説明する実施形態に係る分電盤１００は、盤操作部１４０と通信部１３５−３とをさらに具備する。盤操作部１４０は、回路６０に関する回路情報を表示し、回路６０の電力供給をリレー１２５によって制御する操作を受け付ける。通信部１３５−３は、リレー１２５を制御する第３の制御信号を盤操作部１４０から受信する。リレー制御部１３１は、通信部１３５−３が第３の制御信号を受信した場合には第３の制御信号を用いてリレー１２５を制御する。
【００１０】
また、以下で説明する実施形態に係る分電盤１００において、リレー制御部１３１は、第１〜第３の制御信号の何れか１つがオン信号であれば、リレー１２５をオンに制御する。
【００１１】
また、以下で説明する実施形態に係る分電盤１００において、盤操作部１４０は、回路情報を取得し、内部情報は、回路情報である。通信部１３５−３は、回路情報を受信し、通信部１３５−１は、回路情報を外部装置に送信する。
【００１２】
また、以下で説明する実施形態に係る分電盤１００において、通信部１３５−１は、イーサネット（登録商標）を用いた通信を行ない、通信部１３５−２は、ＤＭＸを用いた通信を行なう。
【００１３】
以下、図面を参照して、実施形態に係る分電盤１００を説明する。実施形態において同一の機能を有する構成には同一の符号を付し、重複する説明は省略する。なお、以下の実施形態で説明する照明制御システムは、一例を示すに過ぎず、実施形態を限定するものではない。例えば、以下の実施形態では、分電盤１００は、照明機器以外にも、任意の装置の制御にも適用することができる。なお、以下の各実施形態は、矛盾しない範囲内で適宜組みあわせてもよい。
【００１４】
（実施形態）
［実施形態に係る照明制御システムの構成］
図１は、実施形態に係る照明制御システムの構成の一例を示すブロック図である。実施形態に係る照明制御システム１は、複数の照明機器１０（１０−１〜１０−ｎ）、複数のバトン装置２０（２０−１〜２０−ｎ）、ハブ３０、操作卓（照明制御装置）５０、分電盤１００を有する。なお、照明制御システム１に接続される分電盤１００、照明機器１０およびバトン装置２０の種別や数などは任意に設定できる。
【００１５】
照明制御システム１において、照明機器１０は、ＤＭＸ規格に従った通信プロトコルや、ＤＭＸ規格を拡張したＲＤＭ（Remote  Device  Management）規格に沿った通信方式により、バトン装置２０や操作卓５０と双方向通信が可能であり、バトン装置２０に接続される。また、照明機器１０は、ＬＥＤ（Light  Emitting  Diodes）等の半導体発光素子を有し、制御信号に従って、明るさ、範囲、色彩等を変化させることで、スタジオや舞台等の照明演出を行う。なお、照明機器１０としてＤＭＸ規格やＲＤＭ規格に非対応の機器（例えば、ハロゲンランプ）が、バトン装置２０に接続されてもよい。また、照明機器１０は、照明機器１０に電力を伝達する回路６０（６０−１〜６０−ｎ）を介して分電盤１００に接続される。これにより、照明機器１０は、分電盤１００から電力が供給される。
【００１６】
バトン装置２０−１〜２０−ｎは、スタジオや舞台等の任意の空間に設置された、照明機器１０−１〜１０−ｎを吊り下げ可能な装置であり、イーサネット（登録商標）等の有線または無線によるネットワークによって、双方向通信が可能な態様でハブ３０と接続される。以下の説明では、バトン装置２０−２〜２０−ｎにもバトン装置２０−１と同様に照明機器１０−１〜１０−ｎが吊り下げられているものとして、説明を省略する。
【００１７】
ハブ３０は、イーサネット等の有線または無線によるネットワークによって、操作卓５０と双方向通信が可能な態様で接続され、操作卓５０と各バトン装置２０−１〜２０−ｎとの通信を中継する中継器である。
【００１８】
実施形態に係る分電盤１００は、双方向通信が可能な態様で操作卓５０に接続されるとともに、操作卓５０から分電盤１００への片方向通信が可能な態様で操作卓５０に接続されている。具体的には、分電盤１００は、片方向通信が可能なＤＭＸと、双方向通信が可能なイーサネットと、によって操作卓５０に接続されている。この構成により、分電盤１００は、ＤＭＸ規格に従った通信プロトコルや、ＤＭＸ規格を拡張したＲＤＭ規格に沿った通信方式によって、操作卓５０との間で通信を行なう。また、分電盤１００は、イーサネット規格に従った通信プロトコルによって、操作卓５０との間で双方向通信を行なう。
【００１９】
このような構成により、分電盤１００は、ＤＭＸケーブルを介して操作卓５０から制御信号を受信する。また、分電盤１００は、イーサネットケーブルを介して操作卓５０から制御信号を受信し、イーサネットケーブル介して操作卓５０に監視情報（自装置である分電盤１００の回路情報）を送信する。このように、分電盤１００は、ＤＭＸとイーサネットとによって操作卓５０に接続されているので、ＤＭＸおよびイーサネットの何れか一方に不具合（装置故障や通信障害など）が発生した場合であっても、残りの一方で通信を継続する。また、分電盤１００は、双方向通信が可能なイーサネットによって操作卓５０に接続されているので、分電盤１００は、操作卓５０に分電盤１００の回路情報を送信する。
【００２０】
操作卓５０は、オペレータから照明機器１０に対する操作指令を受付けると、照明機器１０−１〜１０−ｎに付与された制御アドレスを含む制御情報を生成し、ハブ３０を介してバトン装置２０−１〜２０−ｎに制御情報を送信する。そして、バトン装置２０−１〜２０−ｎは、操作卓５０から制御情報を受信した場合に、制御情報をＤＭＸ規格やＲＤＭ規格に沿った制御信号（例えば、調光信号等）に変換し、制御アドレスが示す照明機器１０に対して制御信号を出力することで、照明機器１０−１〜１０−ｎの制御を行う。このように、操作卓５０は、制御アドレスを用いて、照明機器１０−１〜１０−ｎを遠隔制御する。
【００２１】
また、分電盤１００から見て外部装置である操作卓５０は、分電盤１００が備えるリレー（後述するリレー１２５）への操作指令を受付けると、リレー１２５に制御信号を送信する。操作卓５０は、オペレータの操作に応じたケーブル（通信線）でリレー１２５に制御信号を送信する。操作卓５０は、オペレータによってイーサネットが指定された場合、イーサネットケーブルを介してリレー１２５に制御信号を送信し、オペレータによってＤＭＸが指定された場合、ＤＭＸケーブルを介してリレー１２５に制御信号を送信する。なお、何れのケーブルで制御信号を送信するかは、オペレータの操作によらず操作卓５０が決定してもよい。リレー１２５は、操作卓５０から制御信号を受信した場合に、制御信号に応じた動作を行う。このように、操作卓５０は、制御信号を用いて、リレー１２５を遠隔制御する。
【００２２】
分電盤１００は、照明機器１０に電力を伝達する複数の回路６０−１〜６０−ｎを有し、回路６０−１〜６０−ｎに接続された各照明機器１０−１〜１０−ｎに電力を供給する。例えば、分電盤１００は、入力電圧、入力電流、漏電など電源に関する機能や、出力電流、漏電など負荷に関する機能、温度など盤内の状態に関する機能、主幹ブレーカや回路ブレーカの開閉に関する機能、各種情報の表示や操作を受け付ける機能などを有する。
【００２３】
また、実施形態に係る分電盤１００は、盤操作部１４０を備えている。盤操作部１４０は、回路６０に関する情報（回路情報）などを表示する表示部と、操作を受け付ける受付部とを備えて構成されている。そして、盤操作部１４０では、表示部と受付部とが一体の機器で構成されている。盤操作部１４０は、例えば、液晶モニタやタッチパネル等の表示装置を用いて実現される。
【００２４】
盤操作部１４０は、回路６０の電力供給をリレー１２５によって制御する操作を受け付ける。例えば、盤操作部１４０は、画面上に表示された回路６０に対応するオブジェクトを選択する操作を受け付けることで、回路６０に電力を供給するリレー１２５をＯＮまたはＯＦＦに切り替える操作を受け付ける。一例としては、盤操作部１４０は、異常状態を示す回路６０に対応するオブジェクトを選択する操作を受け付けることで、回路６０に電力を供給するリレー１２５をＯＮからＯＦＦに切り替える操作を受け付ける。
【００２５】
［操作卓と複数の分電盤と間の接続構成］
ここで、図２を用いて、操作卓５０が複数の分電盤１００に接続される場合の接続構成の一例を説明する。図２は、実施形態に係る分電盤１００と、操作卓５０との間の接続構成の一例を示す図である。図２に示すように、操作卓５０と各分電盤１００（１００−１〜１００−Ｘ）とは、分電盤１００毎にイーサネットケーブルで接続されている。例えば、操作卓５０は、第１の分電盤１００−１に対してイーサネットケーブルを用いて１対１で接続され、第２の分電盤１００−２に対してイーサネットケーブルを用いて１対１で接続されている。同様に、操作卓５０は、第（Ｘ−１）の分電盤１００−（Ｘ−１）に対してイーサネットケーブルを用いて１対１で接続され、第Ｘの分電盤１００−Ｘに対してイーサネットケーブルを用いて１対１で接続されている。このように、実施形態に係る各分電盤１００は、他の装置（他の分電盤１００、分岐盤、変換装置など）を介さずに、イーサネットで操作卓５０に接続されている。
【００２６】
また、操作卓５０と各分電盤１００とは、ＤＭＸケーブルで数珠つなぎに接続されている。例えば、操作卓５０は、第１の分電盤１００−１に対してＤＭＸケーブルを用いて接続され、第１の分電盤１００−１は、第２の分電盤１００−２に対してＤＭＸケーブルを用いて接続されている。同様に、第（Ｘ−２）の分電盤１００−（Ｘ−２）は、第（Ｘ−１）の分電盤１００−（Ｘ−１）に対してＤＭＸケーブルを用いて接続され、第（Ｘ−１）の分電盤１００−（Ｘ−１）は、第Ｘの分電盤１００−Ｘに対してＤＭＸケーブルを用いて接続されている。
【００２７】
［分電盤の構成］
続いて、図３を用いて、実施形態に係る分電盤１００の機能構成の一例を説明する。図３は、実施形態に係る分電盤１００の機能構成の一例を示すブロック図である。図３に示すように、実施形態に係る分電盤１００は、電源部１２２、主幹配線用遮断器である主幹ブレーカ１２３、分岐配線用遮断器である分岐ブレーカ１２４（１２４−１〜１２４−ｎ）、リレー１２５（１２５−１〜１２５−ｎ）、記憶部１２０、制御部１３０、盤操作部１４０を有する。
【００２８】
ここで、図４を用いて、分電盤１００の機能構成の外観について説明する。図４は、実施形態に係る分電盤１００の外観を説明するための説明図である。例えば、分電盤１００は、図４に示すように、分電盤１００の扉の上部に盤操作部１４０が設置される。また、分電盤１００は、一例としては、筐体内部の上部に、電源部１２２と、主幹ブレーカ１２３とが設置される。また、分電盤１００は、一例としては、筐体内部の下部に、複数の分岐ブレーカ１２４と、複数のリレー１２５とが設置される。なお、図４では、図を見易くするため、一部の分岐ブレーカ１２４と一部のリレー１２５にのみ符号を付しているが、実際には同一形状の分岐ブレーカ１２４およびリレー１２５には同一の符号が付される。また、図４に示す各機能部の配置は一例に過ぎず、各機能部は任意の場所に配置されてもよい。
【００２９】
図３に戻り、記憶部１２０は、ＨＤＤ（Hard  Disk  Drive）、ＳＳＤ（Solid  State  Drive）、フラッシュメモリ、ＲＡＭ（Random  Access  Memory）等の記憶装置により実現される。具体的には、記憶部１２０は、分電盤１００の状態を示す状態情報や分電盤１００への操作を示す操作情報などを内部情報として記憶する。
【００３０】
電源部１２２は、電力を供給する電源装置である。具体的には、電源部１２２は、各照明機器１０−１〜１０−ｎに電力を供給する。例えば、電源部１２２は、後述するリレー制御部１３１による制御に従ってリレー１２５がＯＮにされている場合に、かかるリレー１２５に対応する回路６０に接続された照明機器１０に電力を供給する。
【００３１】
主幹ブレーカ１２３は、分電盤１００が有する全ての回路６０の電力供給をまとめて制御する。また、主幹ブレーカ１２３は、全ての回路６０に流れる電流の量が所定値を超えると電力供給を遮断する。例えば、主幹ブレーカ１２３は、消費電力の増加や漏電等により、各配線を介して供給される電流の合計値が予め設定された所定の閾値を超えた場合に、電力供給を遮断する。
【００３２】
分岐ブレーカ１２４は、回路６０ごとに、回路６０の電力供給を制御する。また、分岐ブレーカ１２４は、各回路６０に流れる電流の量が所定値を超えると電力供給を遮断する。例えば、分岐ブレーカ１２４は、回路６０に流れる電流が予め設定された所定の閾値を超えた場合に、かかる回路６０の電力供給を遮断する。
【００３３】
リレー１２５は、回路６０に電力を供給する遠隔操作可能な装置（遠隔操作される機器）である。リレー１２５は、後述するリレー制御部１３１による制御に従って回路６０の開閉を制御する。具体的には、リレー１２５は、リレー制御部１３１からリレー１２５をＯＮ（オン）にする指示が出力された場合に、リレー１２５に対応する回路６０の接続を閉じて電力を供給する。これにより、リレー１２５に対応する回路６０に接続された照明機器１０は、電力が供給されて点灯する。一方、リレー１２５は、リレー制御部１３１からリレー１２５をＯＦＦ（オフ）にする指示が出力された場合に、リレー１２５に対応する回路６０の接続を開放して電力供給を遮断する。これにより、リレー１２５に対応する回路６０に接続された照明機器１０は、電力が供給されなくなり消灯する。
【００３４】
制御部１３０は、各照明機器１０−１〜１０−ｎを制御するデバイスである。制御部１３０としては、ＣＰＵ（Central  Processing  Unit）、ＭＰＵ（Micro  Processing  Unit）等の電子回路や、ＡＳＩＣ（Application  Specific  Integrated  Circuit）、ＦＰＧＡ（Field  Programmable  Gate  Array）等の集積回路を採用できる。制御部１３０は、各種の処理手順を規定したプログラムや制御データを格納するための内部メモリを有し、これらによって種々の処理を実行する。制御部１３０は、各種のプログラムが動作することにより各種の処理部として機能する。具体的には、制御部１３０は、リレー制御部１３１と、格納制御部１３２と、通信部１３５−１〜１３５−３とを有する。
【００３５】
格納制御部１３２は、分電盤１００に関する種々の情報である内部情報を記憶部１２０に格納する。格納制御部１３２は、内部情報として、例えば盤操作部１４０への操作に関する情報、電源部１２２に関する情報、主幹ブレーカ１２３に関する情報、分岐ブレーカ１２４に関する情報、リレー１２５に関する情報、回路６０に関する回路情報、分岐回路である回路６０に接続された主回路に関する主回路情報などを記憶部１２０に格納する。格納制御部１３２が記憶部１２０に記憶させる内部情報は、盤操作部１４０、電源部１２２、主幹ブレーカ１２３、分岐ブレーカ１２４、リレー１２５、回路６０、主回路などから取得される。換言すると、格納制御部１３２は、自装置である分電盤１００内から回路情報などの内部情報を受信し、記憶部１２０に格納する。実施形態では、盤操作部１４０が、自装置である分電盤１００内から回路６０に関する回路情報を受信して表示し、通信部１３５−１が、回路情報を操作卓５０に送信する。なお、盤操作部１４０は、回路情報以外の内部情報を受信して表示してもよい。また、通信部１３５−１は、回路情報以外の内部情報を操作卓５０に送信してもよい。
【００３６】
実施形態に係る内部情報は、例えば、回路６０に関する回路情報である。この場合、回路情報は、例えば、回路６０に流れる電流に関する電流情報（回路６０に流れる電流の電流値など）、回路６０の異常を示す情報、回路６０に接続された照明機器１０の位置を示す情報などである。回路情報は、盤操作部１４０によって取得され、内部情報として記憶部１２０に格納される。
【００３７】
通信部１３５−１は、イーサネットケーブルである第１の通信線２０１を介して操作卓５０に接続されている。通信部１３５−２は、ＤＭＸケーブルである第２の通信線２０２を介して操作卓５０に接続されている。通信部１３５−３は、第３の通信線２０３を介して盤操作部１４０に接続されている。
【００３８】
通信部１３５−１は、操作卓５０との間で情報の送受信を行う通信機能を有する。実施形態に係る通信部１３５−１は、操作卓５０との間でイーサネットを用いて通信を行なう。通信部１３５−１は、操作卓５０から制御信号を受信してリレー１２５に制御信号を送信する。また、通信部１３５−１は、記憶部１２０に格納されている回路情報を操作卓５０に送信する。通信部１３５−１は、例えば、盤操作部１４０が取得した回路６０に関する回路情報を操作卓５０に送信する。
【００３９】
通信部１３５−２は、操作卓５０から送られてくる情報を受信する機能を有する。実施形態に係る通信部１３５−２は、操作卓５０との間でＤＭＸを用いて通信を行なう。通信部１３５−２は、操作卓５０から制御信号を受信してリレー１２５に制御信号を送信する。
【００４０】
通信部１３５−３は、盤操作部１４０などから送られてくる回路情報などの内部情報を受信する機能を有する。通信部１３５−３は、盤操作部１４０から制御信号を受信してリレー１２５に制御信号を送信する。また、実施形態に係る通信部１３５−３は、格納制御部１３２からの指示に従って、盤操作部１４０などから送られてくる内部情報を記憶部１２０に送信する。
【００４１】
盤操作部１４０から送られてくる内部情報は、例えば回路情報であり、分電盤１００への操作に関する情報、分電盤１００の状態に関する情報、分電盤１００内でのアラームに関する情報などである。盤操作部１４０から送られてくる回路情報などの内部情報は、分電盤１００が表示する情報であってもよいし、分電盤１００が表示しない情報であってもよい。また、通信部１３５−３は、電源部１２２、主幹ブレーカ１２３、分岐ブレーカ１２４、リレー１２５に関する内部情報を受信してもよい。
【００４２】
リレー制御部１３１は、回路６０への電力供給を制御する。具体的には、リレー制御部１３１は、照明機器１０に電力を伝達する回路６０に電力を供給する。例えば、リレー制御部１３１は、回路６０に対応するリレー１２５をＯＮにすることで、回路６０に電力を供給する。一例としては、リレー制御部１３１は、リレー１２５をＯＮにする指示をリレー１２５に出力することで、リレー１２５に対応する回路６０に電力を供給する。また、リレー制御部１３１は、回路６０に対応するリレー１２５をＯＦＦにすることで、回路６０への電力供給を中止する。例えば、リレー制御部１３１は、リレー１２５をＯＦＦにする指示をリレー１２５に出力することで、リレー１２５に対応する回路６０への電力供給を遮断する。
【００４３】
実施形態に係るリレー制御部１３１は、通信部１３５−１〜１３５−３の何れかがＯＮの制御信号を受信すると、この制御信号に対応するリレー１２５をＯＮにする指示をリレー１２５に出力する。例えば、通信部１３５−１が、操作卓５０からリレー１２５−ｍ（ｍは１〜ｎの何れか）が指定されたＯＮの制御信号を受信すると、リレー１２５−ｍをＯＮにする指示をリレー１２５−ｍに出力する。この場合において、実施形態に係るリレー制御部１３１は、通信部１３５−１がＯＮの制御信号を受信していれば、通信部１３５−２，１３５−３がＯＮの制御信号を受信しているか否かに関わらず、リレー１２５−ｍをＯＮにする。
【００４４】
また、通信部１３５−２が、操作卓５０からリレー１２５−ｍが指定されたＯＮの制御信号を受信すると、リレー１２５−ｍをＯＮにする指示をリレー１２５−ｍに出力する。この場合において、実施形態に係るリレー制御部１３１は、通信部１３５−２がＯＮの制御信号を受信していれば、通信部１３５−１，１３５−３がＯＮの制御信号を受信しているか否かに関わらず、リレー１２５−ｍをＯＮにする。
【００４５】
また、通信部１３５−３が、盤操作部１４０からリレー１２５−ｍが指定されたＯＮの制御信号を受信すると、リレー１２５−ｍをＯＮにする指示をリレー１２５−ｍに出力する。この場合において、実施形態に係るリレー制御部１３１は、通信部１３５−３がＯＮの制御信号を受信していれば、通信部１３５−１，１３５−２がＯＮの制御信号を受信しているか否かに関わらず、リレー１２５−ｍをＯＮにする。
【００４６】
このように、実施形態に係る制御部１３０は、通信部１３５−１が制御信号を受信した場合には通信部１３５−１が受信した制御信号を用いてリレー１２５−ｍを制御する。また、実施形態に係る制御部１３０は、通信部１３５−２が制御信号を受信した場合には通信部１３５−２が受信した制御信号を用いてリレー１２５−ｍを制御する。また、実施形態に係る制御部１３０は、通信部１３５−３が制御信号を受信した場合には通信部１３５−３が受信した制御信号を用いてリレー１２５−ｍを制御する。
【００４７】
上述した制御部１３０は、ＣＰＵとＲＡＭ、ＥＥＰＲＯＭ（Electrically  Erasable  Programmable  ＲＯＭ）、フラッシュメモリなどを有するコンピュータが、所定の記録媒体に登録された制御プログラムを読み取り、読み取った制御プログラムを実行することにより、実現されてもよい。
【００４８】
盤操作部１４０は、オペレータによって種々の情報（分電盤１００への操作）が入力される。盤操作部１４０は、液晶パネルなどの表示装置を備えており、種々の情報を表示する。盤操作部１４０は、回路６０に関する回路情報などを表示する。また、盤操作部１４０は、主回路に関する主回路情報を表示してもよい。また、盤操作部１４０は、例えば、盤操作部１４０の操作画面、盤操作部１４０への操作に関する情報、分電盤１００の状態に関する情報、分電盤１００内でのアラームに関する情報を表示してもよい。
【００４９】
［実施形態に係る分電盤の処理手順］
ここで、図５を用いて、実施形態に係る分電盤１００による制御処理の流れについて説明する。図５は、実施形態に係る分電盤１００における制御処理の一例を示すフローチャートである。
【００５０】
分電盤１００のリレー制御部１３１は、イーサネットを用いた第１のリレー制御信号がＯＮ信号であるか否かを判定する（ステップＳ１０）。換言すると、実施形態に係るリレー制御部１３１は、通信部１３５−１が操作卓５０から受信した制御信号がＯＮ信号であるか否かを判定する。
【００５１】
イーサネットを用いた第１のリレー制御信号がＯＮ信号である場合（ステップＳ１０；Ｙｅｓ）、リレー制御部１３１は、リレー制御信号で指定されたリレー１２５−ｍをＯＮにする指示をリレー１２５−ｍに出力する（ステップＳ２０）。
【００５２】
一方、イーサネットを用いた第１のリレー制御信号がＯＦＦ信号である場合（ステップＳ１０；Ｎｏ）、リレー制御部１３１は、ＤＭＸを用いた第２のリレー制御信号がＯＮ信号であるか否かを判定する（ステップＳ３０）。換言すると、実施形態に係るリレー制御部１３１は、通信部１３５−２が操作卓５０から受信した制御信号がＯＮ信号であるか否かを判定する。
【００５３】
ＤＭＸを用いた第２のリレー制御信号がＯＮ信号である場合（ステップＳ３０；Ｙｅｓ）、リレー制御部１３１は、リレー制御信号で指定されたリレー１２５−ｍをＯＮにする指示をリレー１２５−ｍに出力する（ステップＳ２０）。
【００５４】
一方、ＤＭＸを用いた第２のリレー制御信号がＯＦＦ信号である場合（ステップＳ３０；Ｎｏ）、リレー制御部１３１は、盤操作部１４０からの第３のリレー制御信号がＯＮ信号であるか否かを判定する（ステップＳ４０）。換言すると、実施形態に係るリレー制御部１３１は、通信部１３５−３が盤操作部１４０から受信した制御信号がＯＮ信号であるか否かを判定する。
【００５５】
盤操作部１４０からの第３のリレー制御信号がＯＮ信号である場合（ステップＳ４０；Ｙｅｓ）、リレー制御部１３１は、リレー制御信号で指定されたリレー１２５−ｍをＯＮにする指示をリレー１２５−ｍに出力する（ステップＳ２０）。
【００５６】
一方、盤操作部１４０からの第３のリレー制御信号がＯＦＦ信号である場合（ステップＳ４０；Ｎｏ）、リレー制御部１３１は、リレー制御信号で指定されたリレー１２５−ｍをＯＦＦにする指示をリレー１２５−ｍに出力する（ステップＳ５０）。
【００５７】
このように、リレー制御部１３１は、第１〜第３のリレー制御信号のうちの何れか１つでもＯＮ信号であれば、この制御信号に対応するリレー１２５をＯＮにする。そして、リレー制御部１３１は、第１〜第３のリレー制御信号の全てがＯＦＦ信号であれば、この制御信号に対応するリレー１２５をＯＦＦにする。このような構成により、イーサネットを用いた操作卓５０との間の通信、ＤＭＸを用いた操作卓５０との間の通信、盤操作部１４０との間の通信のうちの１つ又は２つの通信に不具合が生じた場合であっても、オペレータは不具合の生じていない通信を用いてリレー１２５を操作する。換言すると、分電盤１００に接続された１つ又は２つの信号系統に不具合が発生した場合であっても、オペレータは、リレー１２５を制御する。
【００５８】
［盤操作部における情報の表示］
盤操作部１４０は、例えば、記憶部１２０に記憶された回路６０に関する回路情報を表示する。このとき、盤操作部１４０は、オペレータによる操作に従って、種々の情報を画面上に表示する。ここで、盤操作部１４０が表示する情報を、図６〜図１０を用いて詳細に説明する。
【００５９】
図６は、実施形態に係る分電盤１００の表示画面の第１例を示す図である。図６に示すように、盤操作部１４０は、分電盤１００の状態に関する情報として、回路６０に関する回路情報を画面上に表示する。例えば、盤操作部１４０は、回路６０ごとに、回路６０の回路番号、電流値、リレー状態（ＯＮまたはＯＦＦ）、ＯＮ／ＯＦＦ回数、ＭＣＣＢ回数（ＭＣＣＢが遮断された回数）、手元操作中であるか否かの情報、出力中であるか否かの情報、過負荷中であるか否かの情報、漏電しているかの情報、ＭＣＣＢがＯＦＦであるか否かの情報などを対応付けて表示する。このように、盤操作部１４０が図６に示した情報を表示することにより、オペレータは、アラームをモニタする。なお、盤操作部１４０は、回路６０に関する回路情報を画面上に表示する際に、各情報を、点滅の有無、色分け、強調表示の有無などを用いて表示してもよい。
【００６０】
図７は、実施形態に係る分電盤１００の表示画面の第２例を示す図である。図７に示すように、盤操作部１４０は、分電盤１００の状態に関する情報として、回路６０に印加されている電圧値や電流値を画面上に表示する。例えば、盤操作部１４０は、Ｒ相、Ｓ相、Ｔ相毎に電圧値や電流値を画面上にメーター表示する。このように、盤操作部１４０が図７に示した情報を表示することにより、オペレータは、電圧値や電流値をモニタする。
【００６１】
図８は、実施形態に係る分電盤１００の表示画面の第３例を示す図である。図８に示すように、盤操作部１４０は、分電盤１００の状態に関する情報として、分電盤１００内の主回路に印加された電圧値や電流値などの履歴を画面上に表示する。例えば、盤操作部１４０は、Ｒ相、Ｓ相、Ｔ相毎に電圧値や電流値などの時間毎の変化を画面上に表示する。図８では、盤操作部１４０が、Ｒ相の電圧値の時間毎の変化である電圧波形を画面上に表示した場合を示している。このように、盤操作部１４０が図８に示した情報を表示することにより、オペレータは、電圧値や電流値の波形をモニタする。なお、分電盤１００がサンプリングして表示させる波形は、１周期分であるが、瞬停（瞬断）を検出するには、複数周期分の波形が必要となる。
【００６２】
図９は、実施形態に係る分電盤１００の表示画面の第４例を示す図である。分電盤１００が備える画面がタッチパネル等である場合、図９に示すように、盤操作部１４０は、盤操作部１４０の操作画面として、回路６０の回路番号を示すボタン（リレー１２５に対応するボタン）を画面上に表示する。図９では、盤操作部１４０が、回路番号が「１」〜「１２」である回路６０のボタンを画面上に表示した場合を示している。画面上に表示されているボタンがオペレータによって、押下されると、盤操作部１４０は、押下されたボタンに対応するリレー１２５のＯＮとＯＦＦとを切り替える。盤操作部１４０は、ボタンが押下される度に（押下された回数に応じて）、リレー１２５のＯＮとＯＦＦとを順番に切り替える。このように、分電盤１００が画面上に表示するボタンは、リレー制御スイッチの機能を有している。
【００６３】
図１０は、実施形態に係る分電盤１００の表示画面の第５例を示す図である。盤操作部１４０は、分電盤１００内でのアラームに関する情報として、回路６０で発生したアラームのログを画面上に表示する。例えば、盤操作部１４０は、アラームの発生日、アラームが発生した時間、回路６０の状態、メッセージなどを画面上に表示する。盤操作部１４０がアラームに関する情報を表示することにより、オペレータは、アラームのログをモニタする。
【００６４】
［実施形態の変形例］
（装置構成）
上記実施形態では、分電盤１００の制御部１３０が、通信部１３５−１〜１３５−３を備える構成例を示した。ここで、分電盤１００の制御部１３０と、通信部１３５−１〜１３５−３の少なくとも１つとは、別々の構成であってもよい。換言すると、通信部１３５−１〜１３５−３の少なくとも１つは、制御部１３０の外部に配置されてもよい。また、分電盤１００の記憶部１２０は、分電盤１００の制御部１３０内に配置されてもよい。
【００６５】
（接続構成）
なお、照明制御システム１において、分電盤１００と操作卓５０とをＤＭＸで接続しない構成としてもよい。この場合、分電盤１００は、通信部１３５−２を備える必要はなく、分電盤１００と操作卓５０とは、通信部１３５−１を用いてイーサネットで接続される。そして、リレー制御部１３１は、通信部１３５−１または通信部１３５−３が受信した制御信号を用いてリレー１２５を制御する。
【００６６】
また、分電盤１００は、盤操作部１４０を備えない構成であってもよい。この場合、分電盤１００は、通信部１３５−３を備える必要はなく、リレー制御部１３１は、通信部１３５−１または通信部１３５−２が受信した制御信号を用いてリレー１２５を制御する。
【００６７】
（制御対象）
また、制御部１３０が操作卓５０または盤操作部１４０から受信する制御信号は、リレー１２５への制御信号に限らず、分電盤１００内の他の装置への制御信号であってもよい。この場合、制御部１３０は、通信部１３５−１〜１３５−３が分電盤１００内の第１の装置への制御信号を受信した場合には、受信した制御信号を用いて第１の装置を制御する。また、制御部１３０は、通信部１３５−１〜１３５−３が分電盤１００内の第２の装置への制御信号を受信した場合には、受信した制御信号を用いて第２の装置を制御する。
【００６８】
（表示情報）
分電盤１００は、回路６０に関する回路情報を回路６０の配置と対応付けて表示してもよい。また、分電盤１００は、回路６０に関する回路情報を、回路６０の配置とは異なる各種の形態で表示してもよい。
【００６９】
例えば、分電盤１００または操作卓５０は、リレー１２５の配置と対応付けて回路６０に関する回路情報を表示してもよい。これにより、分電盤１００または操作卓５０は、リレー１２５の配置と対応付けて回路６０に関する回路情報を表示し、オペレータのリレー制御を支援する。例えば、分電盤１００または操作卓５０は、異常状態の回路６０に対応するリレー１２５をオペレータに把握させる。
【００７０】
他の例では、分電盤１００または操作卓５０は、回路６０に関する回路情報を、回路６０に対応する場所と対応付けて表示してもよい。例えば、分電盤１００または操作卓５０は、回路６０に関する回路情報を、回路６０に接続された照明機器１０が設置されている場所と対応付けて表示する。一例としては、分電盤１００または操作卓５０は、回路６０の出力状態や異常状態を、回路６０に接続された照明機器１０が設置されているステージや舞台裏、廊下などといった場所を示す情報と対応付けて表示する。
【００７１】
［その他］
上記実施形態では、照明制御システム１は、回路６０に接続される装置として照明機器１０を一例に説明したが、照明機器１０に限らず、可搬型の調光器などその他の各種の舞台装置が回路に接続されてもよい。
【００７２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７３】
１  照明制御システム
１０−１〜１０−ｎ  照明機器
２０−１〜２０−ｎ  バトン装置
３０  ハブ
５０  操作卓
６０−１〜６０−ｎ  回路
１００，１００−１〜１００−Ｘ  分電盤
１２０  記憶部
１２２  電源部
１２３  主幹ブレーカ
１２４−１〜１２４−ｎ  分岐ブレーカ
１２５−１〜１２５−ｎ  リレー
１３０  制御部
１３１  リレー制御部
１３２  格納制御部
１３５−１〜１３５−３  通信部
１４０  盤操作部
２０１  第１の通信線
２０２  第２の通信線
２０３  第３の通信線
【図１】
2018055850.tif 000003
【図２】
2018055850.tif 000004
【図３】
2018055850.tif 000005
【図４】
2018055850.tif 000006
【図５】
2018055850.tif 000007
【図６】
2018055850.tif 000008
【図７】
2018055850.tif 000009
【図８】
2018055850.tif 000010
【図９】
2018055850.tif 000011
【図１０】
2018055850.tif 000012